(57)【要約】【課題】ドラムに装着されている孔版原紙が前回自分が使用したものであるか否かをユーザが容易に確認できるようにする。【解決手段】孔版印刷装置のドラムに記憶装置を設け、このドラムに装着された孔版原紙を識別するための識別データを記憶部に記憶させると共に、この記憶部に記憶されたデータを表示部に表示させる制御を行う。【選択図】　　　図４
2004058346.tif 000002
【特許請求の範囲】
【請求項１】
画像データに基づいて孔版原紙に製版する製版部と、製版部で製版された孔版原紙をドラムの外周面に装着し、回転する前記ドラムの外周面に印刷媒体を圧接搬送し、この圧接搬送過程で孔版原紙より前記印刷媒体にインクを転写する印刷部と、製版及び印刷の動作指示、製版及び印刷の設定データを入力できる操作部と、各種データを表示できる表示部とを備えた孔版印刷装置であって、
前記ドラムに設けられた記憶部と、
前記ドラムに装着されている孔版原紙を識別するための識別データを前記記憶部に記憶させると共に、前記記憶部に記憶された識別データを前記表示部に表示させる制御を行う制御部とを有すること
を特徴とする孔版印刷装置。
【請求項２】
前記制御部は、前記操作部を利用したユーザの指示入力に応じて、前記識別データを前記表示部に表示させること
を特徴とする請求項１に記載の孔版印刷装置。
【請求項３】
前記操作部にユーザが任意の文字を入力できる文字入力部が設けられ、
前記制御部は、前記文字入力部より入力された文字データを前記識別データとして前記記憶部に記憶させること
を特徴とする請求項１又は２に記載の孔版印刷装置。
【請求項４】
画像データと共に前記識別データを外部装置から受信する受信手段を有し、
前記制御部は、前記受信手段が受信した識別データを前記記憶部に記憶させること
を特徴とする請求項１乃至３の何れかに記載の孔版印刷装置。
【請求項５】
前記識別データには、少なくとも製版時刻が含まれていること
を特徴とする請求項１乃至４の何れかに記載の孔版印刷装置。
【発明の詳細な説明】
【０００１】
【発明の属する技術分野】
本発明は、製版された孔版原紙をドラムに装着し、回転するドラムの外周面に印刷媒体を圧接搬送することで印刷媒体に孔版原紙のインク画像を転写する孔版印刷装置に関する。
【０００２】
【従来の技術】
この種の孔版印刷装置は、一般に、サーマルヘッドで孔版原紙に画像データに基づき感熱穿孔し、この製版した孔版原紙をドラムの外周面に巻き付け装着し、回転するドラムの回転タイミングに同期させて印刷用紙（印刷媒体）をドラムの外周面に圧接搬送し、この圧接搬送過程で孔版原紙の感熱穿孔より滲み出るインクを印刷用紙に転写することによって印刷用紙にインク画像を印刷するものである。このような構成の孔版印刷装置では、印刷動作が終了してもドラムには孔版原紙が装着されたままの状態とされ、ドラムに装着された孔版原紙は次の製版動作が実行されるまで保持される。
【０００３】
そのため、ユーザが当面必要な印刷枚数の印刷を終え、後に同じ内容物の印刷を行う場合にはドラムに装着された孔版原紙を再度使用して印刷を行うことができる。
【０００４】
しかし、孔版印刷装置を複数人で共有使用している場合には、ユーザが印刷の途中に一旦印刷を停止して孔版印刷装置から離れたときは、現在ドラムに装着されている孔版原紙が前回自分が使用したものでない可能性がある。ここで、再度製版をやり直すと版を無駄にする可能性があるのみならず、前回と同じ設定を再度行う必要があるため、非常に煩わしいものである。
【０００５】
そこで、従来では、現在ドラムに装着されている孔版原紙が前回自分が使用したものであるか否かを、１枚のみの印刷（試し刷り）を実行し印刷物の内容より確認したり、ドラムを装置本体より取り外して孔版原紙の穿孔状態より確認したりしていた。
【０００６】
【発明が解決しようとする課題】
しかしながら、試し刷りを実行して印刷物の内容より孔版原紙を確認する場合には、印刷用紙を１枚無駄にする可能性があり、また、ドラムを取り外して孔版原紙の穿孔状態を直接確認する場合には、ドラムの取り外し作業や目視により孔版原紙の穿孔状態を確認する作業が非常に煩わしいという問題があった。
【０００７】
また、他の方法として、孔版印刷装置の使用履歴を記憶し、この記憶内容より孔版原紙を確認する方法も考えられるが、複数のドラムを使用している場合や複数の孔版印刷装置を使用している環境では、ドラムが入れ替えられる可能性があるため、以上のような使用履歴による確認ではユーザが前回使用した孔版原紙であるか否かを的確に確認することが困難である。
【０００８】
本発明は、以上のような従来の実情に鑑みて創案されたものであって、ドラムに装着されている孔版原紙が前回自分が使用したものであるか否かをユーザが容易に確認できる孔版印刷装置を提供することを目的とする。
【０００９】
【課題を解決するための手段】
請求項１に記載の発明は、画像データに基づいて孔版原紙に製版する製版部と、製版部で製版された孔版原紙をドラムの外周面に装着し、回転する前記ドラムの外周面に印刷媒体を圧接搬送し、この圧接搬送過程で孔版原紙より前記印刷媒体にインクを転写する印刷部と、製版及び印刷の動作指示、製版及び印刷の設定データを入力できる操作部と、各種データを表示できる表示部とを備えた孔版印刷装置であって、前記ドラムに設けられた記憶部と、前記ドラムに装着されている孔版原紙を識別するための識別データを前記記憶部に記憶させ、前記記憶部に記憶された識別データを前記表示部に表示させる制御を行う制御部とを有することを特徴とするものである。
【００１０】
ここで、識別データとは、ドラムに装着されている孔版原紙がどのようなものであるかを識別するための情報をいい、具体的には、例えば、識別名称等の文字情報や、製版時刻等の製版に関する情報等をいう。
【００１１】
この孔版印刷装置では、製版済みの孔版原紙がドラムに装着されると、当該孔版原紙を識別するための識別データがドラムに設けられた記憶部に記憶され、この記憶部に記憶された識別データが表示部に表示されることから、ユーザは、表示部を参照することで、現在ドラムに装着されている孔版原紙がどのようなものであるかを識別することができる。
【００１２】
請求項２に記載の発明は、請求項１に記載の孔版印刷装置において、前記制御部が、前記操作部を利用したユーザの指示入力に応じて、前記識別データを前記表示部に表示させることを特徴とするものである。
【００１３】
この孔版印刷装置では、ユーザの指示入力に応じて表示部に識別データが表示されるので、ユーザは、必要なときに表示部に識別データを表示させて、現在ドラムに装着されている孔版原紙がどのようなものであるかを、必要なときに確認することができる。
【００１４】
請求項３に記載の発明は、請求項１又は２に記載の孔版印刷装置において、前記操作部にユーザが任意の文字を入力できる文字入力部が設けられ、前記制御部が、前記文字入力部より入力された文字データを前記識別データとして前記記憶部に記憶させることを特徴とするものである。
【００１５】
この孔版印刷装置では、孔版原紙を識別するための任意の文字をユーザが文字入力部から直接入力することができ、この文字データが識別データとして記憶部に記憶されて表示部に表示されるので、ユーザは、表示部の表示内容から、現在ドラムに装着されている孔版原紙の内容を的確に確認することができる。
【００１６】
請求項４に記載の発明は、請求項１乃至３の何れかに記載の孔版印刷装置において、画像データと共に前記識別データを外部装置から受信する受信手段を有し、前記制御部が、前記受信手段が受信した識別データを前記記憶部に記憶させることを特徴とするものである。
【００１７】
この孔版印刷装置では、受信手段により受信された外部装置からの識別データが記憶部に記憶されて表示部に表示されるので、外部装置からの画像データに応じて孔版原紙の製版が行われた場合でも、ユーザは、表示部を参照することで、現在ドラムに装着されている孔版原紙がどようなものであるかを容易に確認することができる。
【００１８】
請求項５に記載の発明は、請求項１乃至４の何れかに記載の孔版印刷装置において、前記識別データには、少なくとも製版時刻が含まれていることを特徴とするものである。
【００１９】
この孔版印刷装置では、少なくとも製版時刻が記憶部に記憶されて表示部に表示されるので、ユーザは、自ら製版した製版時刻と表示部に表示されている製版時刻とを比較することで、現在ドラムに装着されている孔版原紙が自ら製版した孔版原紙であるか否かを容易に確認することができる。
【００２０】
【発明の実施の形態】
以下、本発明の一実施形態を図面に基づいて説明する。
【００２１】
図１〜図５は本発明の第１実施形態を示し、図１は孔版印刷装置１の概略構成図、図２は操作パネル４０の正面図、図３は装置本体８側とドラム２０側との概略回路ブロック図、図４は動作フローチャート、図５（ａ）は製版動作後に版情報を表示させた場合の一例を示す操作パネル４０の正面図、図５（ｂ）は印刷動作後に版情報を表示させた場合の一例を示す操作パネル４０の正面図である。
【００２２】
図１において、孔版印刷装置１は、原稿読取部２と製版部３と印刷部４と給紙部５と排紙部６と排版部７とから主に構成されている。
【００２３】
原稿読取部２は、原稿を載置する斜め傾斜の原稿傾斜板１０と水平な原稿載置ガラス台１１と、原稿傾斜板１０や原稿載置ガラス板１１にセットされた原稿の文字や画像を電気信号に変換して読み取るイメージスキャナ１２とを有する。イメージスキャナ１２は、ガイドベルト１３の案内により原稿載置ガラス台１１の下方を移動自在に設けられている。そして、原稿傾斜板１０にセットされた原稿は、図示しない原稿搬送手段により原稿が自動搬送され、この自動搬送される原稿に対し、イメージスキャナ１２が図１の略左端に位置して内容を読み取る。原稿載置ガラス台１１にセットされた原稿は、イメージスキャナ１２がガイドベルト１３に案内されつつ移動して内容を読み取る。
【００２４】
製版部３は、ロールされた長尺状の孔版原紙１４を収容する原紙収容部１５と、原紙収容部１５に対し孔版原紙１４の搬送方向の下流に配置されたサーマルヘッド１６と、このサーマルヘッド１６の対向位置に配置され、ライトパルスモータ（図示せず）の駆動力により回転するプラテンロール１７と、プラテンロール１７及びサーマルヘッド１６に対し孔版原紙１４の搬送方向の下流に配置された原紙カッタ１８と、この原紙カッタ１８の搬送方向の下流に配置され、ライトパルスモータ（図示せず）の駆動力により回転する一対の原紙送りロール１９，１９とを有する。サーマルヘッド１６は孔版原紙１４の搬送方向の垂直方向に配置された複数の点状発熱体を有し、この実施形態では最大印刷用紙がＡ３であるためＡ３幅の範囲に亘って点状発熱体が配置されている。
【００２５】
そして、プラテンロール１７と一対の原紙送りロール１９，１９の回転により孔版原紙１４を搬送し、イメージスキャナ１２で読み取った画像データに基づきサーマルヘッド１６の各点状発熱体が選択的に発熱動作することにより孔版原紙１４に感熱穿孔して孔版形成し、この製版した孔版原紙１４の後流箇所を原紙カッタ１８で切断して所定長さの孔版原紙１４を作成する。
【００２６】
印刷部４は、外周部分が多孔構造によるインキ通過性の部材で構成され、メインモータ（図示せず）の駆動力によって外周面が図１のＡ矢印方向に回転するドラム２０と、このドラム２０の外周面に設けられ、孔版原紙１４の先端をクランプするクランプ部２１とを有する。ドラム２０は、装置本体８に対して着脱自在に設けられており、この着脱自在のドラム２０にはノンボラリートＲＡＭ等の不揮発性の記憶部９（図３に示す）が設けられている。記憶部９は、ドラム２０が装置本体８に装着された状態にあって装置本体８側のＣＰＵ６０に電気的に接続され、又、ドラム２０が装置本体８より取り外された状態にあって装置本体８側のＣＰＵ６０に電気的に非接続とされる。
【００２７】
又、印刷部４は、ドラム２０の内部に配置されたスキージロール２２及びドクターロール２３と、この双方のロール２２、２３間にインクを供給するインキ供給部２５と、ドラム２０の回転に同期して搬送されて来る印刷用紙２６をドラム２０に巻装された孔版原紙１４に押圧するプレスロール２７と、プレスロール２７を圧接位置と待機位置とに移動させるプランジャ（図示せず）とを有する。
【００２８】
そして、製版部３から搬送される孔版原紙１４の先端をクランプ部２１でクランプし、このクランプした状態でドラム２０が回転されて孔版原紙１４がドラム２０の外周面に巻き付け装着され、ドラム２０の回転に同期して搬送されて来る印刷用紙２６をプレスロール２７にてドラム２０の孔版原紙１４に圧接することによって印刷用紙２６に孔版原紙１４の穿孔部分からインクが転写されて画像が印刷される。
【００２９】
給紙部４は、印刷媒体である印刷用紙２６が積層される給紙台３０と、この給紙台３０から最上位置の印刷用紙２６のみを移動させる一次給紙ロール３１と、この一次給紙ロール３１によって移動された印刷用紙２６をドラム２０の回転に同期してドラム２０とプレスローラ２７間に搬送する一対の二次給紙ロール３２，３３とを有する。一次給紙ロール３１や二次給紙ローラ３２，３３には各給紙クラッチ（図示せず）を介してメインモータ（図示せず）の回転が選択的に伝達されるよう構成されている。
【００３０】
排紙部６は、印刷が完了した印刷用紙２６をドラム２０から分離させる用紙分離爪３４と、この用紙分離爪３４によってドラム２０から分離された印刷用紙２６を搬送するベルト搬送機構３５と、このベルト搬送機構３５によって搬送されて来た印刷済みの印刷用紙２６を積層状態で載置する排紙台３６とを有する。
【００３１】
排版部７は、ドラム２０より引き剥がされた孔版原紙１４を搬送する一対の排版ロール３７，３７と、この一対の排版ロール３７，３７によって搬送されて来る孔版原紙１４を収納する排版ボックス３８と、排版ボックス３８内に導かれた孔版原紙１４を圧縮する圧縮プレート３９とを有する。
【００３２】
又、孔版印刷装置１には外部インターフェース７０を介して外部装置である情報端末装置（図示せず）が接続可能に構成され、双方の間で画像データやヘッダーデータ（識別データとしての文字データ）等の通信が行われる。孔版印刷装置１は、情報端末装置より転送されて来る画像データに基づいて製版できるよう構成されている。
【００３３】
一方、図２に示すように、孔版印刷装置１には操作パネル４０が設けられ、この操作パネル４０には操作部４０ａと表示部４０ｂとが設けられている。操作部４０ａは、スタートキー４１、試し刷りキー４２、ストップキー４３、リセットキー４４、テンキー４５、印刷速度設定キー４６、印刷濃度設定キー４７、印刷位置設定キー４８、版情報確認キー４９、設定確認キー５０と、ＬＣＤ表示・タッチパネル部５２のタッチパネルとから構成されている。表示部４０ｂは、７セグメントＬＥＤ（発光ダイオード）からなるＬＥＤ表示部５２と、ＬＣＤ表示・タッチパネル部５２のＬＣＤ（液晶ディスプレイ）とから構成されている。ＬＣＤ表示・タッチパネル部５２は、ＬＣＤ（液晶ディスプレイ）の上面にタッチパネルが配置されたものであり、操作部４０ａと表示部４０ｂを兼用する。
【００３４】
次に、孔版印刷装置１の制御系を説明する。図３において、操作パネル４０の入力データ等は制御部であるＣＰＵ６０に出力され、このＣＰＵ６０はこれら入力データに基づいて上述した原稿読取部２と製版部３と印刷部４と給紙部５と排紙部６と排版部７とを統括制御すると共に操作パネル４０の表示部４０ｂへの表示を制御する。又、ＣＰＵ６０は、ドラム２０の記憶部９の読み出し及び書き込みを制御すると共にＲＯＭ６１及びＲＡＭ６２の読み出し及び書き込みを制御する。ＲＯＭ６１には孔版印刷装置１を動作させるための各種プログラムが格納されており、ＣＰＵ６０は読み出したプログラムに従って各部の動作制御や、時刻のカウントや外部装置との通信等を行う。ＲＡＭ６２は、設定されたパラメータの記憶等に使用される。
【００３５】
次に、上記孔版印刷装置１の製版、印刷動作を図４の動作フローに基づいて簡単に説明する。原稿を使用した製版を行う場合には、原稿を原稿傾斜板１０や原稿載置ガラス板１１にセットし、原稿種類（文字／写真）、原稿読み取りサイズ、原稿読み取り濃度、原稿読み取り倍率などの製版に関する設定をＬＣＤ表示・タッチパネル部５２で入力し、その後、スタートキー４１を押下することによって製版開始を指示する（ステップＳ１）。
【００３６】
製版開始が指示されると、ドラム２０に孔版原紙１４が巻付け装着されているか否かをチェックし、装着されている場合には孔版原紙１４の先端のクランプを解除し、孔版原紙１４の先端を一対の排版ロール３７，３７間に導き、一対の排版ロール３７，３７の回転により孔版原紙１４をドラム２０より剥ぎ取りながら排版ボックス３８内に搬送する。一対の排版ロール３７により搬送された孔版原紙１４は排版ボックス３８の内部に送り込まれ、これで排版動作が終了する。
【００３７】
排版処理が終了すると、原稿読み取り動作によりイメージスキャナ１２が読み取った画像データに基づき孔版原紙１４にサーマルヘッド１６にて感熱穿孔する。そして、製版された孔版原紙１４の先端がクランプ部２１にクランプされ、先端をクランプした状態でドラム２０が回転される。このドラム２０の回転に同期して給紙部５より１枚の印刷用紙２６が印刷部４に給紙される。この給紙された印刷用紙２６はプレスロール２７でドラム２０の孔版原紙１４に圧接されつつ搬送され、この圧接搬送過程で印刷用紙２６にインク画像が転写される。プレスロール２７によって印刷用紙２６が孔版原紙１４に押し当てられることにより、孔版原紙１４がドラム２０に密着状態で巻き付け装着され、これで製版動作が終了する（ステップＳ２）。
【００３８】
印刷された印刷用紙２６は、排紙部６に送られ、排紙台３６に積載される。この製版動作にエラーがあったか否かをチェックし（ステップＳ３）、エラーがあればエラー処理動作に移行し（ステップＳ４）、製版動作にエラーがなければ、ドラム２０の記憶部９に、識別データとしての製版に関する情報（製版時刻、原稿種類、原稿読み取りサイズ、原稿読み取り濃度、原稿読み取り倍率）がＣＰＵ６０の制御によって書き込まれる（ステップＳ５）。
【００３９】
次に、テンキー４５にて印刷枚数、印刷速度設定キー４６にて印刷速度、印刷濃度設定キー４７にて印刷濃度、印刷位置設定キー４８にて印刷位置などの印刷に関する設定を行い、その後、スタートキー４１を押下することによって印刷開始を指示する（ステップＳ１０）。
【００４０】
印刷開始が指示されると、ドラム２０が回転され、この回転に同期して給紙部５より印刷用紙２６がドラム２０に給紙される。この給紙された印刷用紙２６はプレスロール２７でドラム２０の孔版原紙１４に圧接されつつ搬送され、この圧接搬送過程で印刷用紙２６にインク画像が転写される。印刷された印刷用紙２６は用紙分離爪３４等の作用によりドラム２０の外周壁より剥離されてベルト搬送機構３５で搬送され、ベルトの最下流より排紙台３６に排出される。排紙台３６に排紙された印刷用紙２６はここで積層状態で載置される。この印刷動作が設定枚数だけ行われて印刷動作が完了する（ステップＳ１１）。
【００４１】
印刷動作が完了すると、ドラム２０の記憶部９に印刷に関する情報（印刷枚数、印刷速度、印刷濃度、印刷位置）がＣＰＵ６０の制御によって書き込まれる（ステップＳ１２）。
【００４２】
上記動作過程にあって、製版動作のみを行った後に何らかの事情で孔版印刷装置１を離れ、再び孔版印刷装置１で印刷を行うために戻った場合には、版情報確認キー４９を押下する（ステップＳ６）。すると、ＣＰＵ６０が記憶部９の記憶内容を読み出し、この読み出した内容をＬＣＤ表示・タッチパネル部５２に表示するよう制御し、ＬＣＤ表示・タッチパネル部５２に図５（ａ）のような識別データとしての製版に関する情報が表示される（ステップＳ７）。版情報を確認した後に、版情報と共に表示されている「ＯＫ」表示の位置を押下すると（ステップＳ８）、ＬＣＤ表示・タッチパネル部５２の表示内容が変更され、図２のような標準の表示項目に戻る（ステップＳ９）。
【００４３】
ユーザは、ＬＣＤ表示・タッチパネル部５２に表示された製版動作に関する情報（識別データ）より、ドラム２０に装着されている孔版原紙１４が前回自分が使用したものであるか否かを容易に確認できる。つまり、この第１実施形態では、孔版原紙１４を識別するための識別データとして、製版動作に関する情報がＬＣＤ表示・タッチパネル部５２に表示されるので、ユーザはこのＬＣＤ表示・タッチパネル部５２を参照することによって、自分が製版した製版時の記憶を元に孔版原紙１４が自己のものであるか否かを確認でき、ユーザが特定し易くなる。その上、製版動作に関する情報には少なくとも製版時刻が含まれているので、自分が製版した製版時刻を元に孔版原紙１４が自己のものであるか否かを確認でき、ユーザが特定し易くなる。
【００４４】
なお、製版動作に関する情報としては、ドラム２０の製版回数やその日の製版回数等の他の製版に関わるデータを含めても良い。このようなデータは当該孔版原紙１４に関わる直接的なデータではないが、間接的なデータとして採用することにより当該孔版原紙１４の特定に寄与する。
【００４５】
又、印刷動作の途中で何らかの事情で孔版印刷装置１を離れ、再び孔版印刷装置１で再度印刷を行うために戻った場合には、版情報確認キー４９を押下する（ステップＳ６）。すると、ＣＰＵ６０が記憶部９の記憶内容を読み出し、この読み出した内容をＬＣＤ表示・タッチパネル部５２に表示するよう制御し、ＬＣＤ表示・タッチパネル部５２に図５（ｂ）のような識別データとしての製版に関する情報及び印刷に関する情報が表示される（ステップＳ７）。版情報を確認した後に、版情報と共に表示されている「ＯＫ」表示の位置を押下すると（ステップＳ８）、ＬＣＤ表示・タッチパネル部５２の表示内容が変更され、図２のような標準の表示項目に戻る（ステップＳ９）。
【００４６】
ユーザは、ＬＣＤ表示・タッチパネル部５２に表示された製版動作に関する情報及び印刷動作に関する情報より、ドラム２０に装着されている孔版原紙１４が前回自分が使用したものであるか否かを容易に確認できる。つまり、この場合には、孔版原紙１４を識別するための識別データとして、製版動作に関する情報に加えて印刷動作に関する情報もＬＣＤ表示・タッチパネル部５２に表示されるので、ユーザはこのＬＣＤ表示・タッチパネル部５２を参照することによって、印刷時の記憶を元に孔版原紙１４が自己のものであるか否かを確認でき、ユーザが特定し易くなる。その上、印刷動作に関するデータには、少なくとも印刷の設定データが含まれているので、自分が行った印刷時の設定データを元に孔版原紙１４が自己のものであるか否かをより的確に確認できる。又、前回までの印刷枚数が表示されているため、残り何枚を印刷すれば良いかをユーザが即座に知ることができる。
【００４７】
なお、記憶部９の記憶内容を消去するタイミングは、基本的には孔版原紙１４が排版部７に排版された時点であるが、記憶内容の種類によってケース・バイ・ケースである。
【００４８】
印刷動作に関するデータとして、ストップキー４３による印刷動作の停止や印刷用紙２６のジャミング等による印刷動作の中断があった場合に、その中断した時点までの印刷枚数や中断理由（ストップキーや搬送ジャミングなど）をデータとして含めても良い。このようにすれば、その後に一旦孔版印刷装置１から離れ再び戻った際に版情報として中断理由が表示される。ユーザは中断した記憶を元に孔版原紙１４が自己のものであるか否かを容易に確認できる。又、版情報として中断前までの印刷枚数が表示されるため、残り何枚を印刷すれば良いかユーザが即座に知ることができる。
【００４９】
又、ＣＰＵ６０は、記憶部９に記憶された設定データを製版や印刷の設定に反映させるよう制御するように構成しても良い。このようにすれば、製版や印刷の設定を前回と同じ設定とする場合に、設定データの入力作業を軽減できる。
【００５０】
又、第１実施形態では、製版部３の製版に用いられる画像データは、原稿読取部２で読み取ったものの他に、外部に接続された情報端末装置より送信されたものを用いることもできる。この場合、情報端末装置から転送されてきた画像データに基づいて製版が行われ、印刷用紙２６への印刷が行われることになる。その際には、画像データと共に転送されて来るヘッダーデータ（識別データとしての文字データ）をＣＰＵ６０が記憶部９に記憶するよう制御する。
【００５１】
版情報確認キー４９を押下する（ステップＳ６）と、ＬＣＤ表示・タッチパネル部５２には転送されてきたヘッダーデータ（識別データとしての文字データ）が表示される（ステップＳ７）。したがって、ユーザは、ＬＣＤ表示・タッチパネル部５２に表示されたヘッダーデータより、ドラム２０に装着されている孔版原紙１４が前回自分が使用したものであるか否かを容易に確認できる。ヘッダーデータとしては、例えば、画像データのファイル名、データサイズ、総頁数、用紙サイズ、印刷枚数等があり、これらを全て、若しくは、選択的に記憶し、表示することにより孔版原紙１４の識別が可能である。
【００５２】
又、前記第１実施形態では、記憶部９は、不揮発性のもので構成されているので、孔版印刷装置１の電源をオフした場合にも、又、ドラム２０を装置本体８より取り外した場合にも記憶部９に記憶されたデータが消えずに残るため、孔版印刷装置１の電源をオフした後でも、他の装置に当該ドラム２０の入れ替えをしたときにもドラム２０に装着されている孔版原紙１４が前回自分が使用したものであるか否かをユーザが容易に確認できる。尚、記憶部９は、ダイナミックＲＡＭやスタティックＲＡＭなどの揮発性メモリにて構成しても良く、この場合にはバッテリなどのバックアップ装置を付加することによって電源オフ時や、ドラム２０の引き出した時における記憶データの消失を防止する。
【００５３】
図６及び図７は本発明の第２実施形態を示し、図６は文字入力画面を表示させた状態を示す操作パネルの正面図、図７は版情報を表示させた場合の一例を示す操作パネルの正面図である。
【００５４】
図６に示すように、この第２実施形態では、ＬＣＤ表示・タッチパネル部５２が文字入力画面を表示でき、且つ、この文字入力画面の各文字位置を押下することによってユーザが任意の文字を入力できる文字入力部として機能するよう構成されている。そして、ユーザが入力した文字データが、ドラムに装着されている孔版原紙を識別するための識別データとして、ＣＰＵ（図示せず）による制御のもとでドラム（図示せず）の記憶部（図示せず）に記憶されるようになっている。他の構成は前記第１実施形態と同様であるため重複説明を回避するべく説明を省略する。
【００５５】
この第２実施形態では、ＬＣＤ表示・タッチパネル部５２よりドラムに装着された孔版原紙を識別するための識別データ（識別名称等の文字情報）を外部入力でき、この外部入力データが当該ドラムの記憶部に記憶され、記憶部に記憶された内容が図７に示すように表示部に表示される。したがって、自分が外部入力したデータの記憶を元に孔版原紙が自己のものであるか否かを確認でき、ユーザが特定し易くなる。
【００５６】
又、図７に示すように、製版に関する情報として当該孔版原紙の画像データによる印刷枚数と共に再製版回数、再製版による印刷枚数を記憶部に記憶させ、これらデータを表示するようにしても良い。このようにすれば、前回までの印刷枚数が表示されているため、残り何枚を印刷すれば良いかをユーザが即座に知ることができるのみならず、再製版回数や再製版による印刷枚数を知ることができ、再製版した後に刷り増しを実行するべきか否か等を即座に判断できる。尚、孔版原紙の製版内容が再製版によるものか否かは、再製版モードによって製版されたか否か等によって判別することができる。
【００５７】
図８は本発明の第３実施形態を示し、装置本体側とドラム側との概略回路ブロック図である。
【００５８】
図８に示すように、この第３実施形態では、ドラム２０には、記憶部９と共にこれを制御できる制御部であるＣＰＵ７１を設け、装置本体８側のＣＰＵ６０とドラム２０側のＣＰＵ７１とでデータ通信を行い、記憶部９の読み出し・書き込みをＣＰＵ７１で制御するようになっている。このようにすれば、装置本体８側のＣＰＵ６０の負荷を低減できる。
【００５９】
なお、前記実施形態によれば、製版の設定データを入力できる操作部をＬＣＤ表示・タッチパネル部５２にて構成したが、印刷データを入力できる各キーと同様なキーを別途設けても良いことはもちろんである。又、版情報の表示を解除する場合には、ＬＣＤ表示・タッチパネル部５２の「ＯＫ」位置を押下（又はタッチ）するようになっているが、特定のキー（例えばスタートキーやストップキー等）または特定しない何らかのキーを操作することにより版情報の解除ができるようにしても良いことはもちろんである。
【００６０】
また、前記実施形態によれば、ドラム２０への押圧部材としてプレスロール２７を用いたが、ドラム２０とほぼ同一径の紙胴を使用しても良いことはもちろんである。
【００６１】
また、前記実施形態によれば、給紙台３０に積層された印刷用紙２６を１枚ずつ給紙するように給紙部５を構成したが、孔版印刷装置１の下側に配置された架台７２（図１に示す）に給紙トレイを複数段設け、この複数段の給紙トレイから選択的に印刷用紙を給紙できるようにしても良いことはもちろんである。
【００６２】
【発明の効果】
本発明の請求項１に係る孔版印刷装置によれば、製版済みの孔版原紙がドラムに装着されると、当該孔版原紙を識別するための識別データがドラムに設けられた記憶部に記憶され、この記憶部に記憶された識別データが表示部に表示されることから、ユーザは、表示部を参照することで、現在ドラムに装着されている孔版原紙がどのようなものであるかを容易に識別することができ、特に、現在ドラムに装着されている孔版原紙が自ら製版した孔版原紙であるか否かを確認することができる。
【００６３】
また、本発明の請求項２に係る孔版印刷装置によれば、ユーザの指示入力に応じて表示部に識別データが表示されるので、ユーザは、必要なときに表示部に識別データを表示させて、現在ドラムに装着されている孔版原紙が自ら製版した孔版原紙であるか否かを、必要なときに確認することができる。
【００６４】
また、本発明の請求項３に係る孔版印刷装置によれば、孔版原紙を識別するための任意の文字を識別データとしてユーザが文字入力部から直接入力することができ、この識別データが記憶部に記憶されて表示部に表示されるので、ユーザは、表示部の表示内容から、現在ドラムに装着されている孔版原紙が自ら製版した孔版原紙であるか否かをより的確に確認することができる。
【００６５】
また、本発明の請求項４に係る孔版印刷装置によれば、受信手段により受信された外部装置からの識別データが記憶部に記憶されて表示部に表示されるので、外部装置からの画像データに応じて孔版原紙の製版が行われた場合でも、ユーザは、表示部を参照することで、現在ドラムに装着されている孔版原紙が自ら製版した孔版原紙であるか否かを容易に確認することができる。
【００６６】
また、本発明の請求項５に係る孔版印刷装置によれば、少なくとも製版時刻が識別データとして記憶部に記憶されて表示部に表示されるので、ユーザは、自ら製版した製版時刻と表示部に表示されている製版時刻とを比較することで、現在ドラムに装着されている孔版原紙が自ら製版した孔版原紙であるか否かを容易に確認することができる。
【図面の簡単な説明】
【図１】本発明の第１実施形態を示し、孔版印刷装置の概略構成図である。
【図２】本発明の第１実施形態を示し、操作パネルの正面図である。
【図３】本発明の第１実施形態を示し、装置本体側とドラム側との概略回路ブロック図である。
【図４】本発明の第１実施形態を示し、動作フローチャートである。
【図５】本発明の第１実施形態を示し、（ａ）は製版動作後に版情報を表示させた場合の一例を示す操作パネルの正面図、（ｂ）は印刷動作後に版情報を表示させた場合の一例を示す操作パネルの正面図である。
【図６】本発明の第２実施形態を示し、文字入力画面を表示させた状態を示す操作パネルの正面図である。
【図７】本発明の第２実施形態を示し、版情報を表示させた場合の一例を示す操作パネルの正面図である。
【図８】本発明の第３実施形態を示し、装置本体側とドラム側との概略回路ブロック図である。
【符号の説明】
１　孔版印刷装置
２　原稿読取部
３　製版部
４　印刷部
５　給紙部
６　排紙部
７　排版部
８　装置本体
９　記憶部
１４　孔版原紙
２０　ドラム
２６　印刷用紙（印刷媒体）
４０　操作パネル
４０ａ　操作部
４０ｂ　表示部
５２　ＬＣＤ表示・タッチパネル部（文字入力部）
６０　ＣＰＵ（制御部）
【図１】
2004058346.tif 000003
【図２】
2004058346.tif 000004
【図３】
2004058346.tif 000005
【図４】
2004058346.tif 000006
【図５】
2004058346.tif 000007
【図６】
2004058346.tif 000008
【図７】
2004058346.tif 000009
【図８】
2004058346.tif 000010